(57)【要約】【課題】バルコニー全体としての意匠性を良好に維持するとともに、通風及び採光を確保しつつプライバシーを守ることができるバルコニーを提供する。【解決手段】このバルコニー１は、通風及び採光を可能とした目隠し用の壁面部材２０を、支持部材２１によって支持しながら屋根５の軒下レベル手前まで立ち上がらせている。支持部材２１は、Ｈ形鋼等の鋼材からなる柱４０、４０及び梁４１、４２を組み合わせた堅牢な枠材３０をバルコニー床１０の構造材１３上に立設して、この枠材３０を住宅本体２の壁軸組５０に繋ぎ材３１、３２を介して連結した剛性の高い構造であり、高さ及び重量のある壁面部材２０を強度的に安定した状態で支持している。【選択図】図５
2010013876.tif 000002
【特許請求の範囲】
【請求項１】
住宅本体（２）における上層階（３）と下層階（４）との間の境界付近に取り付けたバルコニー床（１０）の周端部に壁体（１１）を立設してなるバルコニー（１）であって、前記壁体（１１）は、前記上層階（３）を覆う屋根（５）の軒下レベル手前まで立ち上がった通風及び採光を可能とした目隠し用の壁面部材（２０）と、この壁面部材（２０）を支持する支持部材（２１）とを備え、前記支持部材（２１）は、前記バルコニー床（１０）の構造材（１３）上に立設されて、前記住宅本体（２）に対して対向配置された枠材（３０）と、この枠材（３０）と前記住宅本体（２）の構造材（５０）とを連結する繋ぎ材（３１）（３２）とからなり、前記枠材（３０）は、鋼材からなる一対の支柱（４０）（４０）と、これら支柱（４０）（４０）の上端部間を連結する鋼材からなる上部梁（４１）と、支柱（４０）（４０）の下端部間を連結する鋼材からなる下部梁（４２）とを備えたことを特徴とするバルコニー。
【請求項２】
前記壁面部材（２０）を、前記バルコニー床（１０）及び支持部材（２１）を外側から覆い隠すようにして、前記支持部材（２１）に取り付けた請求項１記載のバルコニー。
【請求項３】
前記壁面部材（２０）は、複数の横桟（２３）・・を上下方向に間隔をあけて配置したルーバーユニット（２２）・・を複数組み合わせてなる請求項１又は２記載のバルコニー。
【請求項４】
前記ルーバーユニット（２２）・・の横桟（２３）・・の横幅寸法を、横桟（２３）（２３）間の間隔よりも大とした請求項３記載のバルコニー。
【請求項５】
前記枠材（３０）における一対の支柱（４０）（４０）と上下の梁（４１）（４２）とを、溶接によって接合した請求項１乃至４のいずれかに記載のバルコニー。
【請求項６】
前記枠材（３０）における上下の梁（４１）（４２）間に跨って、１又は複数の中間柱（４３）を設けた請求項１乃至５のいずれかに記載のバルコニー。
【請求項７】
前記住宅本体（２）と壁体（１１）とによって囲まれたバルコニー空間（Ｓ）上方の大部分を、前記屋根（５）によって覆われていない開放状態とした請求項１乃至６のいずれかに記載のバルコニー。
【発明の詳細な説明】
【技術分野】
【０００１】
この発明は、主として戸建て住宅に設けられるバルコニーの構造に関する。
【背景技術】
【０００２】
戸建て住宅のバルコニーとして、住宅本体から張り出したバルコニー床の周端部に腰壁が立設されていて、住宅本体と腰壁とによって囲まれたバルコニー空間上方が屋根や庇によって覆われている構造のものが広く知られている。
【０００３】
この種のバルコニーにおいては、その腰壁が人の胸あたりの高さまでしか立ち上げられておらず、正面から見て屋根や庇と腰壁との間は大きく開放しており、このためバルコニーに干した洗濯物が外部から見えたり、場合によってはバルコニー越しに室内が見えてしまうことがあった。
【０００４】
そこで、例えば特許文献１にも開示されているように、屋根や庇と腰壁との間の開放部分を目隠し用の面材で覆い隠すことで、プライバシーを守るようにしたバルコニーが提案されている。
【０００５】
【特許文献１】特開２００７−６３８６０号公報
【発明の開示】
【発明が解決しようとする課題】
【０００６】
しかしながら、上記のような目隠し用の面材を用いたバルコニーにおいては、腰壁と目隠し用の面材とが見栄えの異なる別部材であって、このためバルコニー全体としての外観上のまとまりが悪くなるといった不具合があった。
【０００７】
また、屋根や庇と腰壁との間に跨って目隠し用の面材を取り付けていることから、バルコニー空間上方が屋根や庇によって全体的に覆われているような場合にのみ適用可能であって、閉塞感のあるバルコニー空間となり易いといった不具合があった。
【０００８】
この発明は、上記不具合を解消して、バルコニー床の周端部に配した壁面部材を、屋根の軒下レベル手前まで強度的に安定した状態で立ち上げることで、バルコニー全体としての意匠性を良好に維持するとともに、通風及び採光を確保しつつプライバシーを守ることができ、しかも開放感のあるバルコニー空間とすることができるバルコニーの提供を目的とする。
【課題を解決するための手段】
【０００９】
上記課題を解決するため、この発明のバルコニー１は、住宅本体２における上層階３と下層階４との間の境界付近に取り付けたバルコニー床１０の周端部に壁体１１を立設してなるものであって、前記壁体１１は、前記上層階３を覆う屋根５の軒下レベル手前まで立ち上がった通風及び採光を可能とした目隠し用の壁面部材２０と、この壁面部材２０を支持する支持部材２１とを備え、前記支持部材２１は、前記バルコニー床１０の構造材１３上に立設されて、前記住宅本体２に対して対向配置された枠材３０と、この枠材３０と前記住宅本体２の構造材５０とを連結する繋ぎ材３１、３２とからなり、前記枠材３０は、鋼材からなる一対の支柱４０、４０と、これら支柱４０、４０の上端部間を連結する鋼材からなる上部梁４１と、支柱４０、４０の下端部間を連結する鋼材からなる下部梁４２とを備えたことを特徴とする。
【００１０】
また、前記壁面部材２０を、前記バルコニー床１０及び支持部材２１を外側から覆い隠すようにして、前記支持部材２１に取り付けている。
【００１１】
さらに、前記壁面部材２０は、複数の横桟２３・・を上下方向に間隔をあけて配置したルーバーユニット２２・・を複数組み合わせてなる。そして、前記ルーバーユニット２２・・の横桟２３・・の横幅寸法を横桟２３、２３間の間隔よりも大としている。
【００１２】
また、前記枠材３０における一対の支柱４０、４０と上下の梁４１、４２とを、溶接によって接合したり、前記枠材３０における上下の梁４１、４２間に跨って、１又は複数の中間柱４３を設けている。
【００１３】
さらにまた、前記住宅本体２と壁体１１とによって囲まれたバルコニー空間Ｓの上方の大部分を、前記屋根５によって覆われていない開放状態としている。
【発明の効果】
【００１４】
この発明のバルコニーにおいては、通風及び採光を可能とした目隠し用の壁面部材を、支持部材によって支持しながら屋根の軒下レベル手前まで立ち上がらせているので、バルコニー全体をまとまりのあるすっきりとした外観として、意匠性を良好に維持するとともに、通風及び採光を確保しつつプライバシーを守ることができる。
【００１５】
しかも、支持部材は、Ｈ形鋼等の鋼材からなる柱、梁を組み合わせた堅牢な枠材をバルコニー床の構造材上に立設して、この枠材を住宅本体の構造材に繋ぎ材を介して連結した剛性の高い構造となっているので、この支持部材に壁面部材を取り付けるだけで、高さ及び重量のある壁面部材を強度的に安定した状態で立ち上げることができる。これにより、壁面部材の上端部分を屋根に固定したり、壁面部材の側端部分を住宅本体に固定するといったような補強対策が不要となって、住宅本体の一面から大きく張り出させるようにしたバルコニーを含めた様々な形態のバルコニーに対応することができる。加えて、住宅本体と壁体とによって囲まれたバルコニー空間の上方を、屋根によって全体的に覆う必要がないことから、特にバルコニー空間上方の大部分を、屋根によって覆われていない開放状態とすることで、壁面部材を屋根の軒下レベル手前まで立ち上がらせているにもかかわらず、開放感のあるバルコニー空間とすることができる。
【００１６】
また、バルコニー床及び支持部材を、壁面部材によって外側から覆い隠すことで、バルコニーの外観意匠をより一層高めることができる。
【００１７】
さらに、複数のルーバーユニットによって壁面部材を構成することで、壁面部材の現場への搬入作業や現場での取り付け作業が容易となり、施工性を高めることができる。また、ルーバーユニットの横桟の横幅寸法を、横桟間の間隔よりも大とすることで、下方からの視線を良好に遮ってプライバシーをより確実に守ることができる。
【００１８】
また、支持部材の枠材における柱と梁を溶接によって接合したり、枠材に中間柱を設けることで、支持部材の剛性を一段と高めて、壁面部材をより一層強度的に安定した状態で立ち上げることができる。
【発明を実施するための最良の形態】
【００１９】
以下、この発明の実施形態を図面に基づいて詳細に説明する。この発明の一実施形態に係るバルコニー１は、図１乃至図４に示すように、二階建て戸建て住宅の住宅本体２における例えば南面側の二階部分３から外方へ張り出すようにして設けられている。そして、バルコニー１の上方には、二階部分３を覆う屋根５の軒先部分が配され、バルコニー１の下方には、大型庇６を介して屋外多目的空間７が配されている。
【００２０】
このバルコニー１は、図５に示すように、住宅本体２における二階部分３と一階部分４との間の境界付近に取り付けたバルコニー床１０の周端部に、壁体１１を立設することによって構成されている。
【００２１】
バルコニー床１０は、複数のＨ形鋼からなる床梁１２・・を枠状に組み付けてなる構造材１３上に、ＡＬＣ等からなる床板１４、勾配断熱材１５、防水シート１６等を順次積層することによって構成され、構造材１３を住宅本体２のＨ形鋼からなる床梁１７に連結することによって、住宅本体１に取り付けられている。なお、このバルコニー床１０の外周端面には、化粧用垂壁１８が取り付けられている。
【００２２】
壁体１１は、屋根５における軒先部分の軒下レベル手前（例えば約３００ｍｍ手前）まで立ち上がった高さのある（全高が２５００ｍｍ〜３０００ｍｍ程度）の目隠し用の壁面部材２０と、この壁面部材２０を支持する支持部材２１とを備えている。
【００２３】
壁面部材２０は、複数のルーバーユニット２２・・を上下方向及び水平方向に並設してなる。ルーバーユニット２２は、図６乃至図８に示すように、例えば木粉とプラスチックとを混ぜ合わせた複合材からなる複数の横桟２３・・を、複数の筒状スペーサ２４・・を介して上下方向に等間隔をあけて配置するとともに、これら横桟２３・・の長手方向に間隔をあけた例えば３カ所において、横桟２３・・及び筒状スペーサ２４・・に対して縦ボルト２５・・を貫通させて、それら縦ボルト２５・・の上下両端部に螺合したナット２６・・を締め付けることによって構成されている。また、ルーバーユニット２２の裏面側の両端部付近において、上下端部が折り曲げられた断面略Ｌ字状の補助レール２８、２８を、それらの上下端部によってルーバーユニット２２を挟み込むようにして上下方向に沿わせて、補助レール２８、２８の上下端部及び補助レール２８、２８の例えば上下２箇所に配した略コ字状の取付金具２９・・に、縦ボルト２５、２５を貫通させることで、補助レール２８、２８及び取付金具２９・・をルーバーユニット２２に固定している。なお、ルーバーユニット２２の左右の端部形状は、配置場所に応じて適宜変更されており、例えば壁面部材２０のコーナー部に配置するルーバーユニット２２においては、その一端側が斜めにカットされていたり、壁面部材２０の住宅本体１に対する壁当たり部に配置するルーバーユニット２２においては、その一端側が略Ｌ字状に折り曲げられている。
【００２４】
上記のルーバーユニット２２においては、横桟２３・・の横幅寸法（奥行寸法約６０ｍｍ）が、横桟２３、２３間の間隔（約２０ｍｍ）よりも大となっており、これにより通風及び採光を可能としながらも、下方からの視線を良好に遮ることができるようになっている。また、横桟２３・・が、その全長に亘って所定の厚み（約３０ｍｍ）を有しているので、ルーバーユニット２２全体として重厚感や高級感を持たせることができ、見栄えを良好にしている。
【００２５】
支持部材２１は、図５及び図９に示すように、バルコニー床１０の構造材１３上に立設されて、住宅本体２の南面側に対して対向配置される枠材３０と、この枠材３０と住宅本体２の構造材である壁軸組５０とを連結する繋ぎ材３１、３２とを備えている。
【００２６】
枠材３０は、例えばＨ形鋼からなる一対の支柱４０、４０と、これら支柱４０、４０の上端部間を連結する例えばＨ形鋼からなる上部梁４１と、支柱４０、４０の下端部間を連結する例えばＨ形鋼からなる下部梁４２とを備え、さらに上部梁４１と下部梁４２の中央部間に跨って例えばＨ形鋼からなる中間柱４３が設けられている。そして、これら柱４０、４０、４３と梁４１、４２とは、それぞれ溶接によって接合されており、梁４１、４２における柱４０、４０、４３との接合部位には、スチフナーが適宜取り付けられている。
【００２７】
一方の繋ぎ材３１は、例えばＨ形鋼からなり、その一端部が枠材３０の上部梁４１の一端部にボルト接合され、その他端部が壁軸組５０に取り付けられて外壁材５１、５１間の縦目地から張り出した腕木５２にボルト接合されている。また、この繋ぎ材３１の中央部及び他端部には、例えばＨ形鋼からなる控え柱４５、４５がそれぞれボルト接合されている。他方の繋ぎ材３２は、例えばＨ形鋼からなり、その一端部が枠材３０の上部梁４１の他端部にボルト接合され、その他端部が壁軸組５０に取り付けられて外壁材５１、５１間の縦目地から張り出した腕木５２にボルト接合されている。
【００２８】
また、枠材３０の柱４０、４０、４３及び控え柱４５、４５には、壁面部材２０を取り付けるための複数の止付金具４６・・が溶接によって接合されている。さらに、枠材３０の下部梁４２及び控え柱４５、４５には、連結金具４７・・が溶接によって接合されていて、これら連結金具４７・・をバルコニー床１０の構造材１３にボルト接合することによって、支持部材２１がバルコニー床１０の周端部に沿うようにして平面視略コ字状に配されている。
【００２９】
そして、この支持部材２１における枠材３０が配された正面側及び一方の繋ぎ材３１が配された一方の側面側には、図５及び図１０に示すように、外方へ張り出した止付金具４６・・に対して複数のルーバーユニット２２・・を上下方向及び水平方向に並べながら固定することによって、バルコニー床１０及び支持部材２１を外側から覆い隠すようにして壁面部材２０が取り付けられている。ルーバーユニット２２・・の固定に際しては、図１１に示すように、補助レール２８、２８及び取付金具２９・・を止付金具４６・・に外側から重ね合わせて、これら補助レール２８、２８、取付金具２９・・及び止付金具４６・・に貫通させたボルト５５・・にナット５６・・を螺合して締め付けるようにしている。なお、図示しないが、ルーバーユニット２２・・の固定状態において、止付金具４６・・に化粧カバーを取り付けることで、固定部位を覆い隠して見栄えを良好にしても良い。
【００３０】
また、支持部材２１における他方の繋ぎ材３２が配された他方の側面側には、図１及び図５に示すように、バルコニー床１０の構造材１３上に立設された高さの低いガラス面材５７が配されている。この他方の側面側は、正面側や一方の側面側に比べて外部から目立ち難くなっているので、ガラス面材５７を配置して通風や採光を優先させるようにしている。
【００３１】
上記構成のバルコニー１においては、通風及び採光を可能とした目隠し用の壁面部材２０を、支持部材２１によって支持しながら屋根５の軒下レベル手前まで立ち上がらせているので、バルコニー１全体をまとまりのあるすっきりとした外観として、意匠性を良好に維持するとともに、通風及び採光を確保しつつプライバシーを守ることができる。
【００３２】
しかも、支持部材２１は、Ｈ形鋼を組み合わせた堅牢な枠材３０をバルコニー床１０の構造材１３上に立設して、この枠材３０を住宅本体２の壁軸組５０に繋ぎ材３１、３２を介して連結した剛性の高い構造となっているので、支持部材２１に壁面部材２０を取り付けるだけで、高さ及び重量のある壁面部材２０を強度的に安定した状態で立ち上げることができる。
【００３３】
これにより、壁面部材２０の上端部分を屋根５に固定したり、壁面部材２０の側端部分を住宅本体２に固定するといったような補強対策が不要となって、上記のような住宅本体２の一面から大きく張り出させたバルコニー１を含めた様々な形態のバルコニーに対応することができる。しかも、住宅本体２と壁体１１とによって囲まれたバルコニー空間Ｓの上方を、屋根５によって全体的に覆う必要がないことから、図５に示すように、バルコニー空間Ｓの上方の大部分を屋根５によって覆われていない開放状態とすることで、壁面部材２０を屋根５の軒下レベル手前まで立ち上げているにもかかわらず、開放感のあるバルコニー空間Ｓとすることができる。
【００３４】
この発明は、上記実施形態に限定されるものではなく、この発明の範囲内で上記実施形態に多くの修正及び変更を加え得ることは勿論である。
【図面の簡単な説明】
【００３５】
【図１】この発明の一実施形態に係るバルコニーを備えた住宅の二階部分の横断面図である。
【図２】住宅の南面側の立面図である。
【図３】住宅の東面側の立面図である。
【図４】住宅の西面側の立面図である。
【図５】バルコニーの縦断面図である。
【図６】ルーバーユニットの斜視図である。
【図７】ルーバーユニットを裏面側から見た斜視図である。
【図８】ルーバーユニットの縦断面図である。
【図９】支持部材の斜視図である。
【図１０】支持部材に壁面部材を取り付けた状態の斜視図である。
【図１１】ルーバーユニットの取付部分の縦断面図である。
【符号の説明】
【００３６】
１・・バルコニー、２・・住宅本体、３・・上層階、４・・下層階、５・・屋根、１０・・バルコニー床、１１・・壁体、１３・・バルコニー床の構造材、２０・・壁面部材、２１・・支持部材、２２・・ルーバーユニット、２３・・横桟、３０・・枠材、３１、３２・・繋ぎ材、４０・・支柱、４１・・上部梁、４２・・下部梁、４３・・中間柱、５０・・住宅本体の構造材、Ｓ・・バルコニー空間
【図１】
2010013876.tif 000003
【図２】
2010013876.tif 000004
【図３】
2010013876.tif 000005
【図４】
2010013876.tif 000006
【図５】
2010013876.tif 000007
【図６】
2010013876.tif 000008
【図７】
2010013876.tif 000009
【図８】
2010013876.tif 000010
【図９】
2010013876.tif 000011
【図１０】
2010013876.tif 000012
【図１１】
2010013876.tif 000013